(57)【要約】【課題】恒温槽の開口部と扉の間を通すケーブルとパッキンとの間の隙間を埋めることができるケーブルアダプタを提供する。【解決手段】ケーブルアダプタ１０は、筐体１１０の開口部を密封するためのパッキン１１２と、開口部を開閉するガラス扉１２０と、の間を通るケーブル１に装着する。ケーブルアダプタは、ケーブルを挟んでガラス扉を閉じた状態で、ケーブルに対向するパッキンの凹み１１２ａにならう形状の凸曲面１３と、ガラス扉の内面１２０ｂと接触する接触面１１と、凸曲面と接触面との間でケーブルを挿通して保持する挿通孔１５と、を有する。ケーブルアダプタは、接触面と挿通孔を連絡してケーブルをガラス扉に接触させる第１のスリット１２と、凸曲面と挿通孔を連絡してケーブルをパッキンの凹みに接触させる第２のスリット１４と、を有する。【選択図】      図３
2018151142.tif 000002
【特許請求の範囲】
【請求項１】
恒温槽の筐体および前記筐体の開口部を開閉する扉のどちらか一方に設けた前記開口部の周囲を密封するためのパッキンと、前記筐体および前記扉の他方の平面部と、の間を通るケーブルに装着するケーブルアダプタであって、
前記ケーブルを挟んで前記扉を閉じた状態で、前記ケーブルに対向する前記パッキンの凹みにならう形状の凸曲面と、
前記筐体および前記扉の他方の前記平面部と面で接触する接触面と、
前記凸曲面と前記接触面との間で前記ケーブルを挿通して保持する挿通孔と、
前記接触面および前記凸曲面の少なくとも一方と前記挿通孔を連絡し且つ前記ケーブルを前記筐体および前記扉の他方および前記パッキンの少なくとも一方に接触させる少なくとも１つのスリットと、
を有するケーブルアダプタ。
【請求項２】
前記少なくとも１つのスリットは、前記接触面と前記挿通孔を連絡し且つ前記ケーブルを前記筐体および前記扉の他方に接触させる第１のスリット、および前記凸曲面と前記挿通孔を連絡し且つ前記ケーブルを前記パッキンに接触させる第２のスリットを含む、
請求項１のケーブルアダプタ。
【請求項３】
前記少なくとも１つのスリットは、前記接触面と前記挿通孔を連絡し且つ前記ケーブルを前記筐体および前記扉の他方に接触させるスリットであり、
前記凸曲面と前記挿通孔の間に、前記ケーブルと前記凹みの隙間を埋める充填部分を有する、
請求項１のケーブルアダプタ。
【請求項４】
前記挿通孔は、互いに離間して平行に延びた複数の挿通孔を含む、
請求項１のケーブルアダプタ。
【発明の詳細な説明】
【技術分野】
【０００１】
本発明は、例えば、恒温槽の扉と筐体との間で挟み込んで通すケーブルのアダプタに関する。
【背景技術】
【０００２】
従来、庫内の温度や湿度を適切な値に保持する恒温槽の一例として、培養液に入れた細胞を観察する細胞培養装置（インキュベータ）が知られている。細胞培養装置内で細胞を観察する場合、例えば、ＣＯ２ガスを細胞培養装置の筐体内に充満させ、筐体内の温度や湿度を適切な値に設定し、培養液および細胞を入れたガラス又はプラスチック製の培養容器を筐体内に入れる。筐体内には、培養容器を載置する細胞観察装置などの電子機器を収容配置する。筐体内に電子機器や培養容器を出し入れする筐体の開口部には、ガラス製の扉が設けられており、ガラス扉の外側からガラス容器内の細胞を観察することができる。
【先行技術文献】
【特許文献】
【０００３】
【特許文献１】特開２００１−２０１２３４号公報
【特許文献２】実公昭５１−１６８７３号公報
【発明の概要】
【発明が解決しようとする課題】
【０００４】
筐体内に配置する電子機器のケーブルは、筐体とガラス扉との間に挟み込んで通して外部へ導出される。筐体内部を気密に密閉して温度や湿度を維持するため、筐体とガラス扉との間には、開口部の全周を密閉するための環状のパッキンが設けられている。
【０００５】
ケーブルをガラス扉と筐体の間を通して導出すると、パッキンの一部がケーブルによって押圧されて変形し、パッキンとケーブルの間に隙間を生じてしまう。この隙間は、筐体内に充填されたＣＯ２ガスの漏れや、筐体内の温度および湿度の不所望な変化を引き起こす。
【０００６】
本発明は、上記の点に鑑みてなされたもので、恒温槽の開口部と扉の間を通すケーブルとパッキンとの間の隙間を埋めることができるケーブルアダプタを提供することを目的とする。
【課題を解決するための手段】
【０００７】
本発明のケーブルアダプタの一態様は、恒温槽の筐体および筐体の開口部を開閉する扉のどちらか一方に設けた開口部の周囲を密封するためのパッキンと、筐体および扉の他方の平面部と、の間を通るケーブルに装着するケーブルアダプタであって、ケーブルを挟んで扉を閉じた状態で、ケーブルに対向するパッキンの凹みにならう形状の凸曲面と、筐体および扉の他方の平面部と面で接触する接触面と、凸曲面と接触面との間でケーブルを挿通して保持する挿通孔と、接触面および凸曲面の少なくとも一方と挿通孔を連絡し且つケーブルを筐体および扉の他方およびパッキンの少なくとも一方に接触させる少なくとも１つのスリットと、を有する。
【発明の効果】
【０００８】
本発明によれば、恒温槽の開口部と扉の間を通すケーブルとパッキンとの間の隙間を埋めることができるケーブルアダプタを提供できる。
【図面の簡単な説明】
【０００９】
【図１】図１は、第１の実施形態に係るケーブルアダプタを装着したケーブルを恒温槽の筐体とガラス扉の間で挟み込んで配線した状態を示す概略斜視図である。
【図２】図２は、図１の構造をＦ２−Ｆ２に沿って見た断面図である。
【図３】図３は、図２の構造をＦ３−Ｆ３に沿って見た断面図である。
【図４】図４は、図１のケーブルアダプタをガラス扉側から見た斜視図である。
【図５】図５は、図１のケーブルアダプタをパッキン側から見た斜視図である。
【図６】図６は、第２の実施形態に係るケーブルアダプタをガラス扉側から見た斜視図である。
【図７】図７は、図６のケーブルアダプタの使用状態における断面図である。
【図８】図８は、第３の実施形態に係るケーブルアダプタをガラス扉側から見た斜視図である。
【図９】図９は、図８のケーブルアダプタをパッキン側から見た斜視図である。
【発明を実施するための形態】
【００１０】
以下、図面を参照しながら実施形態について説明する。  
（第１の実施形態）
図１は、第１の実施形態に係るケーブルアダプタ１０を装着した電子機器２００のケーブル１を、恒温槽１００の筐体１１０側のパッキン１１２とガラス扉１２０との間で挟み込んで通して配線した状態を示す概略斜視図である。恒温槽１００の一例として、ここでは、庫内を密閉してＣＯ２を充満させて温度および湿度を適切な値に維持管理したインキュベータを例示してある。図１では、庫内を見易くするため、恒温槽１００の要部の上下を切断した一部を図示してある。
【００１１】
恒温槽１００は、前面に開口部１１１を有する矩形箱状の筐体１１０を有し、筐体１１０内には、電子機器２００や観察対象物（図示せず）を収容する収容庫１１４が設けられている。電子機器２００は、例えば、観察対象となる細胞を培養液とともに収容した図示しない培養容器を載置して底面側から顕微鏡で細胞を観察する細胞観察装置などであり、収容庫１１４内に取り付けた棚１１５の上に載置される。電子機器２００や細胞を収容した培養容器は、開口部１１１を介して筐体１１０の収容庫１１４に対して出し入れする。
【００１２】
筐体１１０の開口部１１１には、透明なガラス製の扉１２０が取り付けられている。ガラス扉１２０は、図示しないヒンジを介して開口部１１１の図示左端縁に回動可能に取付けられており、開口部１１１を開閉する。筐体１１０の前面１１０ａであって開口部１１１の周縁には、環状の連続した樹脂製のパッキン１１２が取り付けられている。パッキン１１２は、ガラス扉１２０と筐体１１０の間の隙間を密閉して収容庫１１４内を気密に保持する。
【００１３】
ガラス扉１２０は、開口部１１１を塞ぐ閉じ位置に回動した状態で、図示しないロック機構により筐体１１０に対してロックされる。ガラス扉１２０が閉じ位置にロックされた状態では、ガラス扉１２０とパッキン１１２の全周が密着するようにパッキン１１２がガラス扉１２０の内面によって押圧されてわずかに潰された状態となる。パッキン１１２は、筐体１１０側ではなくガラス扉１２０側に設けてもよい。
【００１４】
筐体１１０の開口部１１１に透明なガラス扉１２０を設けることで、ガラス扉１２０を閉じた状態で収容庫１１４内をガラス扉１２０の外側から見ることができる。また、ガラス扉１２０は、上述したように、パッキン１１２およびロック機構によって筐体１１０の開口部１１１を密閉状態で塞ぐことができるため、ＣＯ２の漏れを防止することができ、収容庫１１４内の温度や湿度を適切な値に維持することができる。
【００１５】
筐体１１０の前面側には、ガラス扉１２０を覆う不透明な外扉１３０が設けられている。図１では、外扉１３０を点線で図示してある。外扉１３０の筐体１１０側の外周縁には、環状のパッキン１３２が設けられている。外扉１３０を閉じた状態で、パッキン１３２の内側には、環状の別のパッキン１１６が設けられている。この内側のパッキン１１６は、外扉１３０のパッキン１３２と上述したガラス扉１２０用のパッキン１１２との間で筐体１１０の前面１１０ａに設けられている。外扉１３０は、主に収容庫１１４内の温度を維持するよう機能する。
【００１６】
図２は、図１の構造物をＦ２−Ｆ２に沿って見た断面図である。電子機器２００は、恒温槽１００の外部に配置した図示しない制御装置との間で各種信号を送受信するための信号線や電子機器２００に給電するための送電線などを含むケーブル１を備えている。このケーブル１は、図２に示すように、ガラス扉１２０のヒンジと反対側の端縁１２０ａと筐体１１０の前面１１０ａとの間を通って恒温槽１００の外へ導出される。ガラス扉１２０の端縁１２０ａから導出された後、ケーブル１は、筐体１１０の前面１１０ａと外扉１３０の間を通って引き出される。
【００１７】
このとき、ケーブル１の厚みにより、パッキン１１２、１１６、１３２が部分的に弾性変形し、ケーブル１とパッキン１１２、１１６、１３２の間に隙間が生じ易い。特に、ガラス扉１２０と筐体１１０の間に設けたパッキン１１２とケーブル１との間の隙間は、収容庫１１４内に充満させたＣＯ２の漏れや、収容庫１１４内の温度や湿度の変化を引き起こす。この隙間をできるだけ小さくするため、ケーブル１がパッキン１１２で挟まれる部位に本実施形態のケーブルアダプタ１０を装着するようにした。
【００１８】
図３は、図２の構造をＦ３−Ｆ３に沿って見た断面図である。図４は、ケーブルアダプタ１０をガラス扉１２０側から見た斜視図であり、図５は、ケーブルアダプタ１０をパッキン１１２側から見た斜視図である。本実施形態のケーブルアダプタ１０は、例えば、弾性変形可能な天然ゴムなどの１種類の弾性材料により中実且つ一体に形成されている。ケーブルアダプタ１０の材質は、弾性材料に限らず、プラスチックなどにより形成してもよい。
【００１９】
ケーブルアダプタ１０は、ケーブル１に装着したケーブルアダプタ１０を挟んでガラス扉１２０を閉じた状態で、ガラス扉１２０の筐体１１０側の内面１２０ｂ（平面部）に面で接触する平らな接触面１１を有する。また、ケーブルアダプタ１０は、接触面１１と反対側でパッキン１１２の凹み１１２ａにならう形状の凸曲面１３を有する。さらに、ケーブルアダプタ１０は、接触面１１と凸曲面１３との間でケーブル１を密着状態で挿通して保持する挿通孔１５を有する。
【００２０】
また、ケーブルアダプタ１０は、接触面１１と挿通孔１５を連絡した第１のスリット１２、および凸曲面１３と挿通孔１５を連絡した第２のスリット１４を有する。接触面１１側の第１のスリット１２は、挿通孔１５に挿通配置したケーブル１の外周面の一部をその長手方向に沿って露出し、ケーブル１の外周面の一部をガラス扉１２０の内面１２０ｂに接触させる。凸曲面１３側の第２のスリット１４は、挿通孔１５に挿通配置したケーブル１の外周面の一部をその長手方向に沿って露出し、ケーブル１の外周面の一部をパッキン１１２の凹み１１２ａに接触させる。
【００２１】
さらに、ケーブルアダプタ１０は、挿通孔１５の両端に２つの連結ブロック１６、１７を有する。これら２つの連結ブロック１６、１７は、発明に必須の構成ではないが、接触面１１と挿通孔１５を連絡した第１のスリット１２および凸曲面１３と挿通孔１５を連絡した第２のスリット１４を設けることでアダプタが２つに分離しないよう連結するために設けられている。
【００２２】
第１および第２のスリット１２、１４は、必ずしも両方設ける必要はなく、少なくとも一方を設ければ良い。第１および第２のスリット１２、１４の一方を設けた場合、上述した２つの連結ブロック１６、１７も不要となる。２つのスリット１２、１４を設けることで、ケーブルアダプタ１０の厚みをケーブル１の径と同じにすることができ、パッキン１１２とガラス扉１２０との間に形成される隙間を小さくできる。
【００２３】
本実施形態では、接触面１１側の第１のスリット１２は、挿通孔１５の全長にわたって設けられており、凸曲面１３側の第２のスリット１４は、２つの連結ブロック１６、１７の間を延びている。２つの連結ブロック１６、１７のガラス扉１２０側の面は、接触面１１と面一にされている。また、２つの連結ブロック１６、１７の反対側の面は、凸曲面１３を超えて筐体１１０側に突出している。このため、２つの連結ブロック１６、１７の間には、パッキン１１２を受け入れる溝１８が形成されている。
【００２４】
ケーブル１に装着したケーブルアダプタ１０をパッキン１１２との間に挟んでガラス扉１２０を閉めると、ケーブル１の厚みに応じてパッキン１１２が変形して凹む。本実施形態のケーブルアダプタ１０は、挿通孔１５に挿通したケーブル１の一部をガラス扉１２０の内面１２０ｂに接触させる第１のスリット１２、および挿通孔１５に挿通したケーブル１の反対側の一部をパッキン１１２の凹み１１２ａに接触させる第２のスリット１４を有する。このため、ケーブルアダプタ１０の厚みをケーブル１の直径と同じ厚みにできる。
【００２５】
パッキン１１２の凹み１１２ａの形状は、ケーブル１を中心にパッキン１１２の長手方向両側になだらかに傾斜した溝であり、ケーブル１の断面形状や径などに応じて僅かに変化する。しかし、凹み１１２ａは、概ねケーブル１の厚みに応じて形状が決まる。よって、本実施形態のケーブルアダプタ１０の凸曲面１３は、挿通孔１５の厚み（すなわちケーブル１の径）に応じて決められており、図３に示すように、凹み１１２ａの形状にならう形状にしてある。
【００２６】
このため、本実施形態のケーブルアダプタ１０を使用すると、図３に示すように、ケーブル１の外周面とガラス扉１２０の内面１２０ｂとパッキンの凹み１１２ａとによって囲まれた空間がケーブルアダプタ１０によって埋められて、ケーブル１とパッキン１１２との間の隙間が概ね埋められる。よって、本実施形態によると、ケーブル１を筐体１１０とガラス扉１２０の間に介在させたにもかかわらず、ガラス扉１２０の密閉性を向上させることができ、ＣＯ２ガスの漏れを殆ど無くすことができ、恒温槽１００の収容庫１１４内の温度および湿度を設定値に維持することができる。
【００２７】
（第２の実施形態）
図６は、第２の実施形態に係るケーブルアダプタ２０をガラス扉１２０側から見た斜視図である。図７は、第１の実施形態の図３に対応した図であり、ケーブル１に装着した状態のケーブルアダプタ２０の断面図である。
【００２８】
このケーブルアダプタ２０は、凸曲面１３側の第２のスリット１４を設けずに、接触面１１側の第１のスリット１２だけを設け、且つ２つの連結ブロック１６、１７を無くした以外、上述した第１の実施形態のケーブルアダプタ１０と略同じ構造を有する。よって、ここでは、上述した第１の実施形態のケーブルアダプタ１０と同様に機能する構成要素には同一符号を付してその詳細な説明を省略する。
【００２９】
ケーブルアダプタ２０は、凸曲面１３と挿通孔１５の間に充填部分２２を有する。充填部分２２は、図７に示すように、当該ケーブルアダプタ２０をケーブル１に装着してガラス扉１２０とパッキン１１２の間に挟んでガラス扉１２０を閉じた状態で、ケーブル１の外周面とパッキン１１２の凹み１１２ａとの間の隙間を埋める。また、充填部分２２は、ケーブルアダプタ２０が２つに分離しないように連結する連結部分としても機能する。
【００３０】
以上のように、本実施形態によると、凸曲面１３側の第２のスリット１４が無いため、第２のスリット１４の長手方向に沿った両端とパッキン１１２の凹み１１２ａとの間に形成される微小な隙間も埋めることができ、第１の実施形態と比較してよりシール性を向上させることができる。また、本実施形態によると、第１の実施形態のケーブルアダプタ１０と比較して、構成を簡略化することができ、使用する材料も少なくすることができ、製造コストを低減することができる。
【００３１】
（第３の実施形態）
図８は、第３の実施形態に係るケーブルアダプタ３０をガラス扉１２０側から見た斜視図であり、図９は、このケーブルアダプタ３０をパッキン１１２側から見た斜視図である。
【００３２】
このケーブルアダプタ３０は、２本のケーブルに装着するタイプのものであり、基本構成は上述した第１の実施形態のケーブルアダプタ１０と同じである。よって、ここでは、第１の実施形態と同様に機能する構成要素には同一符号を付してその詳細な説明を省略する。
【００３３】
ケーブルアダプタ３０は、互いに平行に延びた２つの挿通孔３２、３４を有する。また、ケーブルアダプタ３０は、２つの挿通孔３２、３４と接触面１１を連絡した２つの第１のスリット１２ａ、１２ｂを有する。また、ケーブルアダプタ３０は、２つの挿通孔３２、３４と凸曲面１３を連絡した２つの第２のスリット１４ａ、１４ｂを有する。
【００３４】
２つの第２のスリット１４ａ、１４ｂの間の凸曲面１３は、外方にわずかに突出するように湾曲している。つまり、凸曲面１３は、２つの第２のスリット１４ａ、１４ｂによって分断された部位を除いて、パッキン１１２の凹み１１２ａの形状に合わせた形状を有する。
【００３５】
よって、本実施形態においても、上述した第１の実施形態と同様の効果を奏することができる。
【００３６】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【００３７】
例えば、ケーブル１を挿通する挿通孔３２、３４の数は任意に設定可能であり、挿通孔の断面形状もケーブル１の断面形状に合わせて適宜変更されるものである。また、第２の実施形態のケーブルアダプタ２０は凸曲面１３側の第２のスリット１４を設けずに接触面１１側の第１のスリット１２を設けたが、第２のスリット１４だけを設けてもよい。
【符号の説明】
【００３８】
１…ケーブル、１０、２０、３０…ケーブルアダプタ、１１…接触面、１２…第１のスリット、１３…凸曲面、１４…第２のスリット、１５、３２、３４…挿通孔、１６、１７…連結ブロック、２２…充填部分、１００…恒温槽、１１０…筐体、１１１…開口部、１１２…パッキン、１１２ａ…凹み、１２０…ガラス扉、１３０…外扉。
【図１】
2018151142.tif 000003
【図２】
2018151142.tif 000004
【図３】
2018151142.tif 000005
【図４】
2018151142.tif 000006
【図５】
2018151142.tif 000007
【図６】
2018151142.tif 000008
【図７】
2018151142.tif 000009
【図８】
2018151142.tif 000010
【図９】
2018151142.tif 000011